(57)【要約】【課題】物品を上昇させることなく、帯状のフィルム片を物品に的確に巻き付けることができる帯掛け包装装置を提供する。【解決手段】物品ｗを巻掛け処理位置に搬送する物品搬送機構１と、巻掛け処理位置ａにある物品ｗの近傍に、端部を糊付けした帯状のフィルム片ｆを物品ｗと直交する姿勢で供給するフィルム片搬送機構１４と、供給されたフィルム片ｆを物品ｗの主面およびその両横側面に亘って押し付けるフィルム押圧機構４１と、物品ｗに押し付けられたフィルム片ｆの両端部を物品ｗに巻き付けて、フィルム片ｆの一方の端部に他方の端部を貼り重ねるフィルム巻付け機構４２とを備えている。【選択図】図２
2014234173.tif 000002
【特許請求の範囲】
【請求項１】
物品を巻掛け処理位置に搬送する物品搬送機構と、
端部が糊付けされた帯状のフィルム片を搬送するフィルム片搬送機構と、
搬送されたフィルム片を前記巻掛け処理位置にある前記物品の主面およびその両側面に亘って押し付けるフィルム押圧機構と、
物品に押し付けられたフィルム片の両端部を物品に巻き付けて、前記フィルム片を貼り付けるフィルム巻付け機構と、
を備えることを特徴とする帯掛け包装装置。
【請求項２】
前記物品搬送機構は、前記物品を水平方向に搬送し、
前記フィルム片搬送機構は、前記物品の搬送方向に直交する方向に前記フィルム片を搬送するものであって、かつ、前記フィルム片を前記巻掛け処理位置にある前記物品の上方に搬送し、前記フィルム押圧機構は、前記物品の上方に搬送された前記フィルム片を下方へ押圧する、
請求項１に記載の帯掛け包装装置。
【請求項３】
前記物品搬送機構は、間隔を空けて配置された一対の搬送ベルトを備え、前記一対の搬送ベルトに亘って載置された前記物品を、前記巻掛け処理位置まで搬送する、
請求項１または２に記載の帯掛け包装装置。
【請求項４】
前記フィルム片搬送機構は、前記フィルム片の両端部を吸着保持して搬送する、
請求項１ないし３のいずれかに記載の帯掛け包装装置。
【請求項５】
前記フィルム片搬送機構は、吸着保持位置の間隔を変更調節可能である、
請求項４に記載の帯掛け包装装置。
【請求項６】
前記フィルム片搬送機構は、吸着孔を有する吸着搬送ベルトを、摺接案内する中空箱状の搬送ケースに吸引手段を接続し、搬送ケースにおけるベルト案内面に形成した透孔を介して、吸着搬送ベルトの吸着孔に搬送ケースの負圧を印加する、
請求項４または５に記載の帯掛け包装装置。
【請求項７】
前記フィルム巻付け機構は、前記物品搬送機構による物品の搬送方向に沿って移動可能な一対の巻付け部材を備え、前記一対の巻付け部材は、時間差をもって前記搬送方向に沿って移動することによって、前記巻掛け処理位置にある物品に押し付けられたフィルム片の各端部を物品に順次巻き付ける、
請求項１ないし６いずれかに記載の帯掛け包装装置。
【請求項８】
前記フィルム片が、原反フィルムから繰り出して設定幅に切断したものである、
請求項１ないし7のいずれかに記載の帯掛け包装装置。
【発明の詳細な説明】
【技術分野】
【０００１】
本発明は、帯状のフィルム片を物品に巻掛ける帯掛け包装装置に関する。
【背景技術】
【０００２】
上記帯掛け包装装置としては、例えば、特許文献１の図１２〜図１７等に示されるように、所定の長さに切断された帯状のフィルム片を水平に支持し、このフィルム片の下方に搬送された物品を、複数の突き上げピンによって上昇させてフィルム片に押し当て、物品の上面によってフィルム片の中央部を押し上げた状態で、回動可能に巻回配備された弾性ベルトと物品の上面との間にフィルム片を挟持する。
【０００３】
その後、物品を、前記突き上げピンからフリーローラへ移載しつつ、フリーローラによってフィルム片の一端側を押し込むようにして、物品の一方の側面および下面に亘って巻き付ける。
【０００４】
次に、前記弾性ベルトを回動させることで物品を、前記フリーローラからフィルム片の他端側のフリーローラへ移載しつつ、フリーローラによってフィルム片の他端側を押し込むようにして、物品の他方の側面および下面に巻き付けてフィルム片の両端部を貼り合わせるようしたものが知られている。
【先行技術文献】
【特許文献】
【０００５】
【特許文献１】特開２００２−２０００６号公報
【発明の概要】
【発明が解決しようとする課題】
【０００６】
上記した従来装置においては、物品を上昇させてその上面でフィルム片を押し上げ、物品を移載しつつ、その側面及び下面にフィルム片を巻付けるのであるが、物品の幅や高さといったサイズによっては、物品を安定した状態で上昇させたり、移載するのが困難である。
【０００７】
本発明は、このような実情に着目してなされたものであって、物品を上昇させることなく、フィルム片を物品に的確に巻き付けることができる帯掛け包装装置を提供することを目的とする。
【課題を解決するための手段】
【０００８】
上記目的を達成するために、本発明では次のように構成している。
【０００９】
（１）本発明に係る帯掛け包装装置は、
物品を巻掛け処理位置に搬送する物品搬送機構と、
端部が糊付けされた帯状のフィルム片を搬送するフィルム片搬送機構と、
搬送されたフィルム片を前記巻掛け処理位置にある前記物品の主面およびその両側面に亘って押し付けるフィルム押圧機構と、
物品に押し付けられたフィルム片の両端部を物品に巻き付けて、前記フィルム片を貼り付けるフィルム巻付け機構とを備える。
【００１０】
本発明によると、物品搬送機構によって巻掛け処理位置に搬送された物品に対して、フィルム押圧機構でフィルム片を押し付け、押し付けられたフィルム片の両端部を、フィルム巻付け機構によって巻き付けるので、従来のように、物品を上昇させてフィルム片に押し付ける必要がないと共に、物品をフリーローラへ移載しつつ、フィルム片を巻き付ける必要もなく、物品を巻掛け処理位置まで搬送するだけでフィルム片を巻き付けることができ、物品のサイズによらず、安定してフィルム片両端部の巻き付けおよび貼り合せを行うことができる。更に、フィルム押圧機構は、フィルム片を物品に押し付ける機能のみならず、物品を押圧して固定保持する機能をも発揮することになり、このように確実に固定保持された物品へフィルム片両端部の巻き付けを行うので、フィルム片のズレやシワの発生を生じることなく良好に行うことができる。
【００１１】
（２）本発明の好ましい実施態様では、前記物品搬送機構は、前記物品を水平方向に搬送し、前記フィルム片搬送機構は、前記物品の搬送方向に直交する方向に前記フィルム片を搬送するものであって、かつ、前記フィルム片を前記巻掛け処理位置にある前記物品の上方に搬送し、前記フィルム押圧機構は、前記物品の上方に搬送された前記フィルム片を下方へ押圧する。
【００１２】
この実施態様によると、物品搬送機構によって、物品を巻掛け処理位置まで水平方向に搬送し、フィルム片搬送機構によって、フィルム片を物品の上方に搬送し、フィルム押圧機構によって、フィルム片を下方へ押圧して、物品に押し当てることができるので、従来のように、物品を上昇させてフィルム片に押し付ける必要がない。
【００１３】
（３）本発明の他の実施態様では、前記物品搬送機構は、間隔を空けて配置された一対の搬送ベルトを備え、前記一対の搬送ベルトに亘って載置された前記物品を、前記巻掛け処理位置まで搬送する。
【００１４】
この実施態様によると、間隔を空けて配置された一対の搬送ベルトに亘って物品が載置されて巻掛け処理位置まで搬送されるので、巻掛け処理位置では、一対の搬送ベルト間の間隔を利用して、フィルム片の両端部を物品に巻き付けることができる。
【００１５】
（４）本発明の他の実施態様では、前記フィルム片搬送機構は、前記フィルム片の両端部を吸着保持して搬送する。
【００１６】
この実施態様によると、フィルム片を送りローラと挟持ローラとで上下に挟持して搬送したり、チャック爪などで挟持して搬送する場合などに比べて、薄くて軽いフィルム片を損傷することなく的確に搬送することができる。
【００１７】
（５）本発明の更に他の実施態様では、前記フィルム片搬送機構は、吸着保持位置の間隔を変更調節可能である。
【００１８】
この実施態様によると、物品のサイズなどに応じてフィルム片の長さが変更される場合でも、フィルム片を適切な位置で吸着して搬送することができる。
【００１９】
（６）本発明の他の実施態様では、前記フィルム片搬送機構は、吸着孔を有する吸着搬送ベルトを、摺接案内する中空箱状の搬送ケースに吸引手段を接続し、搬送ケースにおけるベルト案内面に形成した透孔を介して、吸着搬送ベルトの吸着孔に搬送ケースの負圧を印加する。
【００２０】
この実施態様によると、吸着孔に吸着されるフィルム片は、吸着孔の周囲の広いベルト面で受け止められることになり、例えば、吸着パッドを用いてフィルムを吸着保持する場合のように、吸着によってフィルムが局部的に変形されて吸着跡が残るようなことがなく、極薄いフィルム片でも変形なく的確に搬送することができる。
【００２１】
（７）本発明の更に他の実施態様では、前記フィルム巻付け機構は、前記物品搬送機構による物品の搬送方向に沿って移動可能な一対の巻付け部材を備え、前記一対の巻付け部材は、時間差をもって前記搬送方向に沿って移動することによって、前記巻掛け処理位置にある物品に押し付けられたフィルム片の各端部を物品に順次巻き付ける。
【００２２】
この実施態様によると、フィルム押圧機構で物品に押し付けたフィルム片の両端部を、一対の巻付け部材を、時間差をもって順次移動させることによって、
物品に的確に巻き付けてフィルム端部同士を貼り重ねることができる。
【００２３】
（８）本発明の他の実施態様では、前記フィルム片が、原反フィルムから繰り出して設定幅に切断したものである。
【００２４】
この実施態様によると、予め裁断したフィルム片を積層して１枚ずつ取り出して巻掛け処理位置に供給する場合に比べて、２枚送りなどのトラブルなく、確実に１枚ずつの供給を行うことができる。
【発明の効果】
【００２５】
本発明によれば、巻掛け処理位置に搬送された物品に対して、フィルム片が押付けられ、該フィルム片の両端部が、物品に巻付けられるので、従来のように、物品を上昇させてフィルム片に押し付ける必要がないと共に、物品をフリーローラへ移載しつつ、フィルム片を巻き付ける必要もなく、物品を巻掛け処理位置まで搬送するだけでフィルム片を巻き付けることができ、物品の幅や高さといったサイズによらず、安定してフィルム片両端部の巻き付けおよび貼り合せを良好に行うことができる。
【図面の簡単な説明】
【００２６】
【図１】帯掛け包装装置の概略平面図である。
【図２】帯掛け包装装置の概略正面図である。
【図３】帯掛け包装装置の全体の概略側面図である。
【図４】物品搬送機構の平面図である。
【図５】フィルム片形成部の平面図である。
【図６】フィルム片形成部の縦断側面図である。
【図７】フィルム片形成部の正面図である。
【図８】フィルム片搬送機構の正面図である。
【図９】フィルム片搬送機構の一部を示す一部切欠き平面図である。
【図１０】フィルム片搬送機構の縦断側面図である。
【図１１】フィルム巻掛け部の平面図である。
【図１２】フィルム巻掛け部の正面図である。
【図１３】フィルム巻掛け部の側面図である。
【図１４】フィルム巻掛け作動を示す正面図である。
【図１５】フィルム巻掛け作動を示す正面図である。
【図１６】フィルム巻掛け作動を示す正面図である。
【図１７】帯掛け包装した物品の斜視図である。
【発明を実施するための形態】
【００２７】
以下、本発明の実施の形態について図面を参照しながら説明する。
【００２８】
図１は本発明の一実施形態に係る帯掛け包装装置の概略平面図であり、図２はその概略正面図であり、図３はその概略側面図である。
【００２９】
この帯掛け包装装置は、帯掛け包装処理が施される物品ｗを載置して水平に搬送する物品搬送機構１と、供給された物品ｗの上方に帯状のフィルム片ｆを供給するフィルム供給部２と、供給されたフィルム片ｆを物品ｗに巻き付けて貼り合せるフィルム巻掛け部３とが備えられている。なお、以下の説明においては、便宜上、図１に示す物品ｗの搬送方向Ａに沿った方向を左右方向、これと水平に直交する方向を前後方向と呼称する。
【００３０】
物品搬送機構１の平面図である図４にも示すように、この物品搬送機構１は、前後一対の搬送ベルト４を、間隔を空けて左右水平に巻回張設して構成されており、左右水平に配備した搬送フレーム５の両端部に駆動プーリ６と遊転プーリ７とがそれぞれ軸支され、これら駆動プーリ６と遊転プーリ７とに亘って搬送ベルト４が巻回張設されるとともに、上方の搬送径路において、搬送ベルト４が搬送フレーム５の上面に備えられた溝付きガイド８で摺接案内されて水平に走行するようになっている。そして、例えば蓋付き食品トレイなどの平面形状が長方形で縦断面形状が角形の物品ｗが、その長辺を前後方向に向けた姿勢で両搬送ベルト４に亘って載置されて巻掛け処理位置ａにまで搬送される。
【００３１】
図１，図３に示すように、前記フィルム供給部２には、商品名やイラストなどのデザインパターンが一定ピッチで連続して印刷されたフィルムＦの原反ロール１０を左右水平に支持するロール軸支部１１と、原反ロール１０から繰り出されたフィルムＦ上面の所定位置に消費期限の日付などをデザインパターン毎に押捺印刷するホットプリンタ１２と、印刷処理後のフィルムＦをデザインパターンのピッチに相当する一定幅で切断して左右に長い帯状のフィルム片ｆを形成するフィルム片形成部１３と、形成されたフィルム片ｆを左右水平姿勢で、巻掛け処理位置ａにある物品ｗの上方にまで搬送するフィルム片搬送機構１４とが備えられている。
【００３２】
図５に示すように、フィルム片形成部１３には、多数の小幅ローラ１５ａを支軸１５ｂに並列装着してなる送込みローラ１５、多数の小幅ローラ１６ａを支軸１６ｂに並列装着してなる中間送りローラ１６、および、多数の小幅ローラ１７ａを支軸１７ｂに並列装着してなる送出しローラ１７が前後３列に亘って左右水平に軸支され、送込みローラ１５と中間送りローラ１６が、減速機付きのモータ１８の出力ギヤＧ0にギヤＧ1，Ｇ2を介して咬合連動されるとともに、送出しローラ１７が中間送りローラ１６に複数本のリング状のベルト１９を介して連動され、３列の送込みローラ１５、中間送りローラ１６、および、送出しローラ１７が同方向に同期して回転駆動されるようになっている。
【００３３】
また、図３，図６に示すように、送込みローラ１５と中間送りローラ１６それぞれの上方に長尺の支持ローラ２０，２１が遊転自在に対向配備され、原反ロール１０から繰り出されたフィルムＦを上下のローラ２０，１５；２１，１６間に挟持して後方に送るよう構成されている。ここで、中間送りローラ１６のギヤＧ2が送込みローラ１５のギヤＧ1より若干小径に設定されて、中間送りローラ１６の周速が送込みローラ１５の周速よりも少し速くなっており、この周速度差によってフィルムＦが緊張状態で送られる。
【００３４】
支持ローラ２０，２１は、揺動開閉可能なカバーケース２２内に遊転自在に支承されており、図７に示すようにカバーケース２２を上方に持上げ揺動することで、フィルム走行経路を大きく開放してフィルム通しを容易に行うことができるようになっている。
【００３５】
送込みローラ１５と中間送りローラ１６との間の下方には、刃先が山形に形成されたカッタ２３が昇降可能に配備され、カッタ２３がフィルム走行経路を越えて上昇することで、前後二箇所で上下から挟持されたフィルムＦを前後の挟持箇所の中間で切断するよう構成されている。なお、フィルムＦにおける各デザインパターンの間には切断用のミシン目ｍ（図１参照）が予め形成されており、フィルム走行経路の下方に退入しているカッタ２３の直上にミシン目ｍが位置したことを光学的に検知してフィルム送りを停止し、その後、カッタ２３を上昇させてフィルム切断処理が実行されるように、フィルム位置検知、モータ制御、および、カッタ昇降制御が連動されている。
【００３６】
フィルム片搬送機構１４は、フィルム片形成部１３の直後箇所から物品搬送機構１の上方に向けて左右一対の吸着搬送ベルト２５を前後水平に配備して構成されている。
【００３７】
図８はフィルム片搬送機構１４の正面図であり、図９はその一部を示す切欠き平面図であり、図１０はその縦断側面図である。
【００３８】
これらの図に示すように、吸着搬送ベルト２５の横幅中央には周方向一定ピッチで吸着孔２６がベルト内外に貫通して形成されており、中空箱形に構成された搬送ケース２７の前端部に軸支された駆動プーリ２８と、搬送ケース２７の後端部に軸支されたテンションプーリ２９とに亘って吸着搬送ベルト２５が巻回張設されている。そして、吸着搬送ベルト２５は、フィルム搬送径路となる下側のベルト回動径路においては、搬送ケース２７の下面に摺接し、上側の戻り径路においては、搬送ケース２７の内部を通過するように配備されている。
【００３９】
各搬送ケース２７の下面には、吸着搬送ベルト２５における吸着孔２６の移動径路に沿う透孔３０が形成されるとともに、搬送ケース２７の上面に連通接続した吸引ブロワ３１によってケース内が吸引されて負圧になり、その負圧が透孔３０を介して吸着搬送ベルト２５の吸着孔２６に作用し、吸着孔２６に作用する負圧によって吸着搬送ベルト２５の下面にフィルム片ｆの左右両端近くが吸着保持され、吸着搬送ベルト２５の回動によってフィルム片ｆが後方に搬送されて巻掛け処理位置ａに供給されるようになっている。
【００４０】
搬送ケース２７の基端（前端）側には、図８に示すように立設固定された左右のフレーム３２に亘って支持したガイド軸３３と駆動軸３４が挿通され、搬送ケース２７全体が左右に平行移動可能に支持されるとともに、図９，図１０に示すように駆動プーリ２８が駆動軸３４に対してキー３５を介して動力伝達可能、かつ、左右移動可能に外嵌されており、搬送ケース２７と共に左右移動した吸着搬送ベルト２５を左右方向任意の位置で駆動できるよう構成されている。なお、駆動軸３４は、フレーム３２の外側に配備されたモータ３６にベルト３７を介して巻き掛け連動連結されて駆動されるようになっている。
【００４１】
左右のフレーム３２に亘って、図８に示すようにベルト間隔調節用の操作軸３８が支持されている。この操作軸３８は、ネジピッチ角が相反する左ネジ軸部３８ａと右ネジ軸部３８ｂとを同芯に突合わせ連結して構成されるとともに、その一端に備えたハンドル３９で回動操作されるようになっている。そして、左右の各搬送ケース２７に、操作軸３８の左ネジ軸部３８ａと右ネジ軸部３８ｂにそれぞれ螺合貫通されており、操作軸３８を正逆に回動操作することで、左右の搬送ケース２７を互いに接近あるいは互いに離反移動して、両吸着搬送ベルト２５の間隔を変更することができるよう構成されており、フィルム片ｆの左右長さに対応して好適な位置を吸着することができるようになっている。
【００４２】
図２，図３に示すように、フィルム巻掛け部３には、巻掛け処理位置ａの上方において両搬送ベルト４の間に配備されたフィルム押圧機構４１と、巻掛け処理位置ａの下方において両搬送ベルト４の間に配備されたフィルム巻付け機構４２とが備えられている。
【００４３】
図１１はフィルム巻掛け部３の平面図であり、図１２はその正面図であり、図１３はその側面図である。
【００４４】
フィルム巻掛け部３のフィルム押圧機構４１には、立設固定された支持フレーム４３にガイド縦軸４４を介して上下移動可能、かつ、シリンダ４５によって上下駆動される可動台４６と、この可動台４６に４本のガイド軸４７を介して上下移動可能、かつ、ガイド軸４７に外嵌したコイルバネ４８によって下方にスライド付勢された支持ブラケット４９と、これの下面に取り付けられた弾性変形可能な主押圧部材５０とが備えられ、更に、可動台４６にガイド横軸５１に沿って左右移動可能に支持した左右一対の可動ブラケット５２と、この可動ブラケット５２に自由上下動可能に挿通された支軸５３と、これの下端に取り付けられた側部押圧部材５４とが備えられている。そして、可動台４６が下降作動することで、主押圧部材５０でフィルム片ｆの中央部を物品ｗの主面である上面に弾性的に押し付け、側部押圧部材５４でフィルム片ｆの左右両側部を押さえ付けて物品ｗの左右の側面に沿って下方に折り曲げるよう作用する。
【００４５】
前記可動台４６には、物品ｗの左右幅に対応して側部押圧部材５４の位置調節を行うための操作軸５５が支持されている。この操作軸５５は、ネジピッチ角が相反する左ネジ軸部５５ａと右ネジ軸部５５ｂとを突合わせ連結して構成されるとともに、その一端に備えたハンドル５６で回動操作できるようになっている。そして、左右の可動ブラケット５２に操作軸５５の左ネジ軸部５５ａと右ネジ軸部５５ｂにそれぞれ螺合貫通されており、操作軸５５を回動操作することで、左右の可動ブラケット５２が互いに接近あるいは離反移動して、左右の側部押圧部材５４の間隔を物品ｗの左右幅に対応して調節することができるよう構成されている。
【００４６】
図２，図１３に示すように、フィルム巻付け機構４２には、左右水平に固定配置された共通の案内レール５７に沿って左右移動可能な左右一対の可動台５８，５９と、各可動台５８，５９を左右移動させるシリンダ６０，６１と、各可動台５８，５９にシリンダ６２，６３を介して昇降可能に支持された樹脂ブロック製の巻付け部材６４，６５とが備えられており、巻付け部材６４，６５が上昇して物品ｗの下方に向けて進出移動することによって、物品ｗの左右の側面に沿って下方に折り曲げられたフィルム片ｆを物品ｗに下面に沿って巻き付けるようになっている。
【００４７】
ここで、左右の巻付け部材６４，６５は、時間差をもって物品ｗの下方へ進出移動するよう作動制御され、これによって、物品ｗの下面に巻き付けられたフィルム片ｆの一方の端部に他方の端部が重ねられ、予め塗布された粘着剤によってフィルム片ｆの両端部が貼り合わされる。
【００４８】
なお、物品ｗやフィルム片ｆのサイズによっては、フィルム片ｆの端部を重ね合すことなく、物品ｗの下面に貼り付けるようにしてもよい。
【００４９】
この実施形態の帯掛け包装装置は以上のように構成されており、物品搬送機構１によって物品ｗが巻掛け処理位置ａに搬送セットされ、フィルム片搬送機構９によってフィルム片ｆが巻掛け処理位置ａに供給されると、先ず、フィルム巻掛け部３のフィルム押圧機構４１が作動し、図１４に示すように、下降作動する主押圧部材５０でフィルム片ｆの中央部が物品ｗの上面に押し付けられるとともに、側部押圧部材５４でフィルム片ｆの左右両側部が押さえつけられて物品ｗの左右の側面に沿って下方に折り曲げられる。
【００５０】
この場合、図１５に示すように、可動台４６が更に下降することで、主押圧部材５０はコイルバネ４８を圧縮変形させながら可動台４６に対して相対的に上昇し、フィルム片ｆは物品ｗの上面に適度な力で弾性的に押し付けられることになる。また、物品ｗにおける左右側部の肩部にフィルム片ｆを押し付けた側部押圧部材５４も、物品ｗに当接した後の更なる可動台４６の下方移動に伴って可動ブラケット５２に対して相対的に上昇変位し、物品ｗの左右肩部に巻き掛けられたフィルム片ｆは側部押圧部材５４およびこれと一体化した部材の重量で押圧される。
【００５１】
フィルム押圧機構４１によるフィルム押し付け作動が終了すると、フィルム巻付け機構４２が作動し、図１６に示すように、巻付け部材６４，６５がワーク搬送高さまで上昇した後、物品ｗの下方に向けて水平移動することによって、物品ｗの左右の側面に沿って下方に折り曲げられたフィルム片ｆが物品ｗの下面に沿って巻き付けられるとともに、その端部が重ねられて貼り合わされることで、図１７に示すように、帯状のフィルム片ｆが巻き付け包装された物品ｗが得られる。
【００５２】
上記フィルム巻き掛け処理が完了すると、フィルム巻掛け部３のフィルム押圧機構４１およびフィルム巻付け機構４２が元の待機状態にまで復帰作動するとともに、物品搬送機構１が作動して、帯掛け包装された物品ｗが搬出される。
【００５３】
以上で１回の帯掛け包装が完了し、物品ｗの搬入に伴って上記処理が繰り返される。
【００５４】
このように本実施形態の帯掛け包装装置によると、物品搬送機構１によって巻掛け処理位置に搬送された物品ｗに対して、フィルム押圧機構４１でフィルム片fを押し付け、押し付けられたフィルム片ｆの両端部を、フィルム巻付け機構４２によって巻き付けるので、従来のように、物品を上昇させてフィルム片に押し付ける必要がないと共に、物品をフリーローラへ移載しつつ、フィルム片を巻き付ける必要もなく、物品ｗを巻掛け処理位置まで搬送するだけでフィルム片ｆを巻き付けることができる。これによって、物品の幅や高さといったサイズによらず、安定してフィルム片を物品に巻付けて貼付けることができる。
【００５５】
（他の実施形態）
本発明は、以下のような形態で実施することもできる。
【００５６】
（１）物品ｗを巻掛け処理位置ａに搬送する物品搬送機構１は、物品ｗを単に載置して搬送するものに限られるものではなく、物品ｗの種類や形状等によっては、チェーンに装着したブラケットに物品ｗを所定姿勢で係合保持したり、チェーンに装着したチャックなどで物品ｗの一端部あるいは両端部を把持して搬送する形態を採用することもできる。
【００５７】
（２）予め帯状に切断したフィルム片ｆを積層して装填し、一枚ずつ取り出して巻掛け処理位置ａに供給することもできる。
【００５８】
（３）フィルム片搬送機構１４における搬送ケース２７に負圧を印加する手段としては、別の場所に設置固定した真空ポンプと搬送ケース２７とを吸引ホースなどで連通接続するように構成することもできる。
【００５９】
（４）フィルム片搬送機構１４を、左右一対の吸着パッドでフィルム片ｆの左右両端部を軽く吸着保持して、フィルム供給部２と巻掛け処理位置ａとの間で往復移動させる形態に構成することもできる。
【符号の説明】
【００６０】
１            物品搬送機構
１４          フィルム片搬送機構
２５          吸着搬送ベルト
２６          吸着孔
２７          搬送ケース
３０          透孔
４１          フィルム押圧機構
４２          フィルム巻付け機構
６４          巻付け部材
６５          巻付け部材
ｆ            フィルム片
ｗ            物品
【図１】
2014234173.tif 000003
【図２】
2014234173.tif 000004
【図３】
2014234173.tif 000005
【図４】
2014234173.tif 000006
【図５】
2014234173.tif 000007
【図６】
2014234173.tif 000008
【図７】
2014234173.tif 000009
【図８】
2014234173.tif 000010
【図９】
2014234173.tif 000011
【図１０】
2014234173.tif 000012
【図１１】
2014234173.tif 000013
【図１２】
2014234173.tif 000014
【図１３】
2014234173.tif 000015
【図１４】
2014234173.tif 000016
【図１５】
2014234173.tif 000017
【図１６】
2014234173.tif 000018
【図１７】
2014234173.tif 000019